(57)【要約】【課題】巻線端末部を保持しつつ巻線端末部と回路装置との間の接続を簡易な構成で処理する。【解決手段】ブラシレスモータ１０では、巻線端末部２８が、折り曲げられて、結合部３０において回路装置６０の回路端子６８と結合されている。このため、回路給電部（バスバー）等の接続部材を用いることなく巻線端末部２８と回路装置６０とを接続できる。すなわち、当該接続部材と巻線端末部２８との間の結合を省略できる。これにより、巻線端末部２８と回路装置６０との間の接続を簡易な構成で処理できる。また、巻線端末部２８における結合部３０に隣接する部分が、ホルダ４０のボス部４８Ａ〜４８Ｃによって保持されている。このため、回路給電部（バスバー）等の接続部材を省略しても巻線端末部２８をホルダ４０上に保持できる。【選択図】図１
2014204477.tif 000002
【特許請求の範囲】
【請求項１】
モータ本体に取付けられ、前記モータ本体と接続される回路端子を有する回路装置と、
前記モータ本体から前記モータ本体の軸方向一方側へ延出されると共に、前記回路装置側へ折り曲げられて前記回路端子と結合される結合部を先端部に有する巻線端末部と、
前記モータ本体の軸方向一方側に設けられ、前記巻線端末部の前記結合部に隣接する部分を保持する保持部を備えた保持部材と、
を有するブラシレスモータ。
【請求項２】
前記巻線端末部の前記保持部に保持される部分が屈曲されて前記結合部が前記保持部から前記モータ本体の軸方向一方側へ延出され、
前記回路端子は、前記結合部を挟持して前記結合部と結合される被結合部を有する請求項１に記載のブラシレスモータ。
【請求項３】
前記保持部には、前記モータ本体の軸方向一方側へ開放された溝部が形成されており、前記巻線端末部が当該溝部内に保持された請求項２に記載のブラシレスモータ。
【請求項４】
前記溝部の底部には、前記回路装置側の位置において、前記モータ本体の軸方向一方側へ凸となる段差部が形成された請求項３に記載のブラシレスモータ。
【請求項５】
請求項３又は請求項４に記載のブラシレスモータに適用され、
モータ本体から前記モータ本体の軸方向一方側へ延出される巻線端末部を回路装置側へ折り曲げる第１曲げ工程と、
前記巻線端末部を保持部の溝部内に圧入する圧入工程と、
前記巻線端末部における前記溝部内に圧入された部分を屈曲させて、前記巻線端末部の結合部を前記保持部から前記モータ本体の軸方向一方側へ延出させる第２曲げ工程と、
を備えた巻線端末保持方法。
【発明の詳細な説明】
【技術分野】
【０００１】
本発明は、ブラシレスモータ及びブラシレスモータの巻線端末部における巻線端末保持方法に関する。
【背景技術】
【０００２】
下記特許文献１に記載されたモータでは、ティース部に巻回された巻線の巻線端末部が、モータの軸方向一方側へ延出されて、巻線保持部によって保持されている。そして、巻線保持部によって保持された巻線端末部は、回路給電部（バスバー）を介して回路装置と接続されている。
【先行技術文献】
【特許文献】
【０００３】
【特許文献１】特開２０１０−２７３４５０号公報
【発明の概要】
【発明が解決しようとする課題】
【０００４】
しかしながら、上記モータでは、上述したように、巻線端末部は回路給電部（バスバー）を介して回路装置と接続されているため、巻線端末部と回路給電部（バスバー）とを結合し、かつ回路給電部（バスバー）と回路装置の端子とを結合する必要がある。このため、モータでは、巻線端末部の保持状態を維持しつつ巻線端末部と回路装置との間の接続を簡易な構成で処理することが望ましい。
【０００５】
本発明は、上記事実を考慮し、巻線端末部を保持しつつ巻線端末部と回路装置との間の接続を簡易な構成で処理できるブラシレスモータ及び巻線端末保持方法を提供することを目的とする。
【課題を解決するための手段】
【０００６】
請求項１に記載のブラシレスモータは、モータ本体に取付けられ、前記モータ本体と接続される回路端子を有する回路装置と、前記モータ本体から前記モータ本体の軸方向一方側へ延出されると共に、前記回路装置側へ折り曲げられて前記回路端子と結合される結合部を先端部に有する巻線端末部と、前記モータ本体の軸方向一方側に設けられ、前記巻線端末部の前記結合部に隣接する部分を保持する保持部を備えた保持部材と、を有している。
【０００７】
請求項１に記載のブラシレスモータによれば、回路装置がモータ本体に取付けられている。また、モータ本体からモータ本体の軸方向一方側へ延出された巻線端末部が回路装置側へ折り曲げられている。
【０００８】
ここで、巻線端末部は、その先端部に結合部を備えており、結合部が回路装置の回路端子と結合されている。このため、回路給電部（バスバー）等の接続部材を用いることなく、巻線端末部と回路装置とを接続できる。これにより、仮に回路給電部（バスバー）等の接続部材を用いる場合に比して、当該接続部材と巻線端末部との間の結合を省略できる。したがって、巻線端末部と回路装置との間の接続を簡易な構成で処理できる。
【０００９】
しかも、折り曲げられた巻線端末部における結合部に隣接する部分が、保持部材の保持部に保持されている。このため、回路給電部（バスバー）等の接続部材を省略しても、折り曲げられた巻線端末部を保持部によって保持できる。
【００１０】
請求項２に記載のブラシレスモータは、請求項１に記載のブラシレスモータにおいて、前記巻線端末部の前記保持部に保持される部分が屈曲されて前記結合部が前記保持部から前記モータ本体の軸方向一方側へ延出され、前記回路端子は、前記結合部を挟持して前記結合部と結合される被結合部を有している。
【００１１】
請求項２に記載のブラシレスモータによれば、巻線端末部の保持部に保持される部分が屈曲されて、巻線端末部の結合部が保持部からモータ本体の軸方向一方側へ延出されている。そして、結合部が回路端子の被結合部に挟持されて、結合部と被結合部とが結合されている。
【００１２】
このため、例えば、モータ本体の軸方向から見て被結合部をモータ本体側へ開放する略Ｕ字形状に形成することで、被結合部の開放部分から巻線端末部を挿入させて回路装置をモータ本体に組付けできる。すなわち、回路装置をモータ本体に組付ける際に回路装置をモータ本体側へ移動して、回路端子の被結合部内に巻線端末部の結合部を挿入できる。
【００１３】
しかも、巻線端末部における結合部に隣接した部分が保持部によって保持されているため、回路端子の被結合部内に巻線端末部の結合部を挿入する際に、結合部が回路装置の移動方向側へ倒れ込むことが抑制される。以上により、回路装置をモータ本体に組付ける際の組付性を向上できる。
【００１４】
請求項３に記載のブラシレスモータは、請求項２に記載のブラシレスモータにおいて、前記保持部には、前記モータ本体の軸方向一方側へ開放された溝部が形成されており、前記巻線端末部が当該溝部内に保持されている。
【００１５】
請求項３に記載のブラシレスモータによれば、巻線端末部が、保持部に形成された溝部内に保持されている。これにより、巻線端末部を簡易な構成で保持できる。
【００１６】
請求項４に記載のブラシレスモータは、請求項３に記載のブラシレスモータにおいて、前記溝部の底部には、前記回路装置側の位置において、前記モータ本体の軸方向一方側へ凸となる段差部が形成された請求項３に記載のブラシレスモータ。
【００１７】
請求項４に記載のブラシレスモータでは、溝部の底部に段差部が形成されており、段差部は、回路装置側の位置において、軸方向一方側へ凸となる段差状を成している。このため、巻線端末部の結合部が回路装置側へ倒れ込もうとすると、結合部が段差部に当接されるため、結合部の回路装置側への倒れ込みが段差部によって抑制される。これにより、結合部を保持部からモータの軸方向一方側へ良好に延出させることができる。
【００１８】
請求項５に記載の巻線端末保持方法は、請求項３又は請求項４に記載のブラシレスモータに適用され、モータ本体から前記モータ本体の軸方向一方側へ延出される巻線端末部を回路装置側へ折り曲げる第１曲げ工程と、前記巻線端末部を保持部の溝部内に圧入する圧入工程と、前記巻線端末部における前記溝部内に圧入された部分を屈曲させて、前記巻線端末部の結合部を前記保持部から前記モータ本体の軸方向一方側へ延出させる第２曲げ工程と、を備えている。
【００１９】
請求項５に記載の巻線端末保持方法によれば、モータ本体からモータ本体の軸方向一方側へ延出される巻線端末部が回路装置側へ折り曲げられて、巻線端末部が保持部の溝部内に圧入される。そして、巻線端末部における溝部内に圧入された部分が屈曲されて、巻線端末部の結合部が保持部からモータ本体の軸方向一方側へ延出される。このため、結合部を回路装置の被結合部と結合することで、回路給電部（バスバー）等の接続部材を用いることなく、巻線端末部と回路装置とを接続できる。
【００２０】
また、巻線端末部の結合部が保持部からモータ本体の軸方向一方側へ延出された状態で、巻線端末部が保持されるため、回路装置をモータ本体に組付ける際の組付性を向上できる。
【図面の簡単な説明】
【００２１】
【図１】本発明の実施の形態に係るブラシレスモータの要部の全体を示す模式的な斜視図である。
【図２】図１に示される巻線端末部が折り曲げられる前の状態を示す斜視図である。
【図３】図１に示されるモータ本体を示す一部破断された側断面図である。
【図４】図２に示される状態から巻線端末部が回路装置側へ折り曲げられて、ボスの保持溝内に仮保持された状態を示す斜視図である。
【図５】図４に示されたボスの保持溝内に仮保持された巻線端末部をパンチによって屈曲させる前の状態を示す模式的な断面図である。
【図６】図５に示される状態においてボス内に挿入されたパンチが巻線端末部に当接された状態を示す模式的な断面図である。
【図７】図６に示される状態からパンチがさらに挿入されて、巻線端末部が屈曲された状態を示す模式的な断面図である。
【図８】図７の状態を示すモータ本体の全体を示す模式的な斜視図である。
【図９】図８に示されるモータ本体への回路装置の組付けを説明するための説明図である。
【図１０】本発明のボス部の変形例を示す断面図である。
【発明を実施するための形態】
【００２２】
以下、図面を用いて本発明の実施の形態に係るブラシレスモータ１０について説明する。このブラシレスモータ１０は、例えば、車両（自動車）等に搭載されたラジエータを冷却するためのファンモータとして用いられている。そして、図１及び図９に示されるように、ブラシレスモータ１０は、モータ本体１２と、保持部材としてのホルダ４０と、回路装置６０と、を含んで構成されている。
【００２３】
図２に示されるように、モータ本体１２は、所謂アウタロータタイプのモータとして構成されている。具体的には、モータ本体１２は、略三角形板状のセンタピース１４を備えている。このセンタピース１４の一端部（一辺部）には、後述する回路装置６０を取付けるための取付部１６が形成されている。この取付部１６はモータ本体１２の軸方向（図１等の矢印Ａ方向及び及び矢印Ｂ方向）に対して直交する方向（図１等の矢印Ｃ方向及び矢印Ｄ方向）に沿って延びており、取付部１６の長手方向両端部には、一対の締結孔１６Ａが貫通形成されている。
【００２４】
また、図３に示されるように、センタピース１４の略中央部には、軸部１８が一体に形成されており、軸部１８は、モータ本体１２の軸方向一方側（図１等の矢印Ａ方向側）へ突出された略有底円筒形状に形成されている。そして、モータ本体１２のモータシャフト２０の一端部が軸部１８内に嵌入されて、モータシャフト２０がセンタピース１４に回転不能に固定されている。
【００２５】
さらに、モータ本体１２はロータ２２を備えており、ロータ２２は、モータ本体１２の軸方向一方側へ開放された略有底円筒形状のロータハウジング２４を有している。このロータハウジング２４の中央部には、図示しない固定部が形成されており、固定部にはモータシャフト２０の他端部が軸受（図示省略）を介して支持されている。これにより、ロータ２２がモータシャフト２０に対して回転可能に構成されている。なお、ロータハウジング２４の内周面には、マグネット（図示省略）が固着されている。
【００２６】
さらに、ロータハウジング２４の内側には、モータ本体１２の一部を構成するステータの電機子コア（図示省略）が収容されており、電機子コアはセンタピース１４に支持されている。この電機子コアは、モータシャフト２０を中心として放射状に形成される複数のティース部を有しており、このティース部に複数の巻線２６が巻回されている。この巻線２６は、Ｕ相、Ｖ相、Ｗ相をそれぞれ構成しており、デルタ結線によって結線されるようになっている。そして、図２に示されるように、巻線２６の巻始め部分と巻終わり部分が、モータ本体１２から軸方向一方側へ延出されている。すなわち、２本ずつ対を成す巻線２６が、モータ本体１２の軸方向から見て、モータ本体１２の周方向に１２０°毎に配置されている。
【００２７】
ホルダ４０は、モータ本体１２の軸方向一方側に設けられると共に、センタピース１４に支持されている。このホルダ４０は、絶縁材により製作されると共に、モータ本体１２の軸方向一方側へ開放された底の浅い略凹状に形成されている。
【００２８】
ホルダ４０の略中央部には、筒部４２が一体に形成されている。この筒部４２は、略円筒形状に形成されており、この筒部４２内にセンタピース１４の軸部１８が配置されている。また、筒部４２の先端部には、後述する巻線端末部２８をガイドするための一対のガイド溝４４が形成されている。一対のガイド溝４４は、モータ本体１２の軸方向から見て、取付部１６の長手方向に対して直交する方向（図１等の矢印Ｅ方向及び矢印Ｆ方向）に並んで配置されている。
【００２９】
また、ホルダ４０の底壁には、複数（本実施の形態では３つ）の挿通孔４６Ａ，４６Ｂ，４６Ｃ（広義には、「挿通部」として把握される要素である）が貫通形成されている。この挿通孔４６Ａ，４６Ｂ，４６Ｃは、略トラック形状に形成されると共に、前述した２本の対を成す巻線２６に対応してモータ本体１２の周方向に等間隔（１２０°毎）に配置されている。具体的には、モータ本体１２の軸方向から見て、２箇所の挿通孔４６Ａ，４６Ｃが、筒部４２に対してセンタピース１４の取付部１６側（図１等の矢印Ｅ方向側）の位置において、取付部１６の長手方向に沿うように並んで配置されている。そして、挿通孔４６Ａと挿通孔４６Ｃとの間の挿通孔４６Ｂが、モータ本体１２の軸方向から見て、筒部４２に対して取付部１６とは反対側（図１等の矢印Ｆ方向側）に配置されている。そして、モータ本体１２から延出された２本ずつの巻線２６が挿通孔４６Ａ，４６Ｂ，４６Ｃ内にそれぞれ挿通されており、この挿通孔４６Ａ，４６Ｂ，４６Ｃからモータ本体１２の軸方向一方側へ延出された部分がそれぞれ巻線端末部２８とされている。
【００３０】
さらに、ホルダ４０の底壁には、筒部４２に対してセンタピース１４の取付部１６側の位置において、保持部としてのボス部４８Ａ，４８Ｂ，４８Ｃが複数（本実施の形態では３箇所）形成されている。このボス部４８Ａ，４８Ｂ，４８Ｃは、取付部１６の長手方向に沿うように一列に並んで配置されている。具体的には、ボス部４８Ａ及びボス部４８Ｃが、それぞれ挿通孔４６Ａ及び挿通孔４６Ｃの取付部１６側に隣接して配置されている。また、ボス部４８Ｂは、取付部１６の長手方向に対して直交する方向（図１等の矢印Ｅ方向及び矢印Ｆ向）において、挿通孔４６Ｂ及び筒部４２と並んで配置されている。
【００３１】
このボス部４８Ａ〜４８Ｃは、略円柱形状に形成されて、ホルダ４０の底壁からモータ本体１２の軸方向一方側へ突出されている。さらに、図４に示されるように、ボス部４８Ａ〜４８Ｃには、溝部としての保持溝５０がそれぞれ形成されている。保持溝５０は、モータ本体１２の軸方向一方側へ開放されると共に、取付部１６の長手方向に直交する方向に貫通されている。つまり、ボス部４８Ａ〜４８Ｃは、保持溝５０によって２分割されている。
【００３２】
そして、前述した各巻線端末部２８が、根元部において、センタピース１４の取付部１６側へ屈曲されている。また、挿通孔４６Ｂから延出される巻線端末部２８は、筒部４２の一対のガイド溝４４内に挿入されて、モータ本体１２の軸方向から見て筒部４２を跨ぐように略一直線状に配置されている。また、各巻線端末部２８が、先端側の位置において、側面視で略Ｖ字形状に屈曲されており、この屈曲された部分が保持溝５０内に圧入されている。これにより、各巻線端末部２８がボス部４８Ａ〜４８Ｃに保持されて、巻線端末部２８の先端部がボス部４８Ａ〜４８Ｃからモータ本体１２の軸方向一方側へ延出されている。そして、この延出された部分が結合部３０とされている（図８参照）。換言すると、各巻線端末部２８における結合部３０と隣接された部分がガイド溝４４内に圧入されている。
【００３３】
また、ボス部４８Ａ〜４８Ｃの中央部には、パンチ凹部５２が形成されており、パンチ凹部５２は、断面略円形状に形成されて、モータ本体１２の軸方向一方側へ開放されている。すなわち、パンチ凹部５２と保持溝５０とは連通されている。そして、このパンチ凹部５２内には、巻線端末部２８におけるボス部４８Ａ〜４８Ｃに保持される部分を略Ｖ字形状に屈曲形成するためのパンチ５４（図６及び図７参照）が挿入可能になっている。
【００３４】
図９に示されるように、回路装置６０は、モータ本体１２の軸方向一方側に配置されると共に、モータ本体１２の軸方向から見て、センタピース１４の取付部１６側にずれて配置されている。回路装置６０は略箱形状の回路ケース６２を備えており、回路ケース６２は、モータ本体１２の軸方向に分割された上ケース６２Ａと下ケース６２Ｂとで構成されている。この下ケース６２Ｂには、センタピース１４側の角部において、一対の被締結片６４が一体に形成されており、被締結片６４は板厚方向をモータ本体１２の軸方向にして下ケース６２Ｂから突出されている。そして、被締結片６４には、被締結孔６４Ａが貫通形成されており、ネジ６６が被締結孔内に挿入されてセンタピース１４の締結孔１６Ａに締結されている。これにより、回路装置６０がセンタピース１４に固定されている。
【００３５】
また、回路ケース６２内には、図示しない回路基板が収容されており、回路基板には、複数（本実施の形態では３つ）の回路端子６８が設けられている。回路端子６８は、略板状に形成されて、板厚方向をモータ本体１２の軸方向にして下ケース６２Ｂからモータ本体１２側へ突出されている。さらに、各回路端子６８には、接続片７０が一体に形成されており、接続片７０は、回路端子６８の幅方向一端部からモータ本体１２の軸方向一方側へ屈曲されている。また、接続片７０の先端部には、回路ケース６２側の部分において、被結合部７２が一体に形成されている。この被結合部７２は、モータ本体１２の軸方向から見て、モータ本体１２側へ開放された略Ｕ字形状に形成されており、被結合部７２の先端部がテーパ状に形成されている。そして、被結合部７２内に巻線端末部２８の結合部３０が挿入されて、溶接によって被結合部７２と結合部３０とが結合されている。これにより、モータ本体１２と回路基板とが電気的に接続されている（図１参照）。
【００３６】
次に、巻線端末部２８をホルダ４０上でフォーミングしてホルダ４０に保持する手順を説明しつつ本実施の形態の作用及び効果について説明する。
【００３７】
上記のように構成されたブラシレスモータ１０において、巻線２６の巻線端末部２８がホルダ４０に保持される前では、２本ずつ対を成す巻線２６の巻線端末部２８が、ホルダ４０の挿通孔４６Ａ〜４６Ｃからモータ本体１２の軸方向一方側へ延出されている（図２参照）。
【００３８】
この状態において、挿通孔４６Ａ〜４６Ｃからモータ本体１２の軸方向一方側へ延出された巻線端末部２８の根元部分をセンタピース１４の取付部１６側へ折り曲げる（第１曲げ工程）。なお、挿通孔４６Ｂから延出される巻線端末部２８に対しては、当該巻線端末部２８を筒部４２のガイド溝４４内に挿入させて筒部４２を跨ぐように配置する（図３及び図４参照）。
【００３９】
そして、各巻線端末部２８の先端部をボス部４８Ａ〜４８Ｃの保持溝５０内に圧入して（圧入工程）、各巻線端末部２８をボス部４８Ａ〜４８Ｃに仮保持させる。この仮保持状態では、巻線端末部２８の先端部が、保持溝５０の底面からモータ本体１２の軸方向一方側へ離間した（浮いた）状態で保持されている（図５参照）。
【００４０】
そして、この仮保持状態において、パンチ５４をモータ本体１２の軸方向一方側からボス部４８Ａ〜４８Ｃのパンチ凹部５２内に挿入させて、パンチ５４の先端部を巻線端末部２８に当てる（図６参照）。この際には、パンチ５４の先端部が巻線端末部２８をモータ本体１２の軸方向他方側へ押圧するが、巻線端末部２８はボス部４８Ａ〜４８Ｃの保持溝５０内に圧入されているため、巻線端末部２８の圧入された部分がその位置に留まろうとする。このため、巻線端末部２８においてパンチ５４が当接された部分がモータ本体１２の軸方向他方側へ凸となるように曲げられて、巻線端末部２８が側面視で略Ｖ字形状に屈曲される（第２曲げ工程）。その結果、巻線端末部２８の結合部３０がボス部４８Ａ〜４８Ｃからモータ本体１２の軸方向一方側へ延出される（図７及び図８参照）。
【００４１】
この状態で、図９に示されるように、回路装置６０をセンタピース１４の取付部１６の側方に配置して、回路装置６０をモータ本体１２側（図９の矢印Ｆ方向側）へ移動させる。この際には、回路装置６０における回路端子６８の被結合部７２内に巻線端末部２８の結合部３０を挿入させつつ、取付部１６上に回路ケース６２の被締結片６４を配置する。そして、ネジ６６をセンタピース１４の締結孔１６Ａに締結することで、回路装置６０がセンタピース１４に固定される。
【００４２】
そして、回路端子６８の被結合部７２をカシメて（カシメ工程）、巻線端末部２８の結合部３０と被結合部７２とを溶接する（溶接工程）。その結果、巻線端末部２８と回路端子６８とが結合されて、モータ本体１２と回路装置６０とが電気的に接続される。
【００４３】
以上のような手順で組付けられたブラシレスモータ１０では、巻線２６の巻線端末部２８の根元が、回路装置６０側（モータ本体１２の軸方向に対して直交する方向側）へ折り曲げられて、巻線端末部２８が、結合部３０において、回路装置６０の回路端子６８と結合されている。このため、巻線端末部２８と回路端子６８との間を接続する回路給電部（バスバー）等の接続部材を用いることなく、巻線端末部２８と回路装置６０とを接続できる。これにより、仮に回路給電部（バスバー）等の接続部材を用いる場合に比して、当該接続部材と巻線端末部２８との間の結合を省略できる。したがって、巻線端末部２８と回路装置６０との間の接続を簡易な構成で処理できる。
【００４４】
また、折り曲げられた巻線端末部２８における結合部３０に隣接する部分が、ボス部４８Ａ〜４８Ｃに保持されている。このため、挿通孔４６Ａ〜４６Ｃから延出される巻線端末部２８が、ボス部４８Ａ〜４８Ｃによってガイドされつつ保持される。これにより、回路給電部（バスバー）等の接続部材を省略しても巻線端末部２８をホルダ４０上に保持できる。
【００４５】
さらに、巻線端末部２８におけるボス部４８Ａ〜４８Ｃ（の保持溝５０）に保持される部分が略Ｖ字形状に屈曲されており、巻線端末部２８の結合部３０がボス部４８Ａ〜４８Ｃからモータ本体１２の軸方向一方側へ延出されている。このため、上述したように、回路装置６０をモータ本体１２のセンタピース１４に組付ける際には、モータ本体１２の軸方向から見て回路装置６０をモータ本体１２側へ移動させることで、回路端子６８の被結合部７２内に巻線端末部２８の結合部３０を挿入できる。
【００４６】
しかも、巻線端末部２８の結合部３０に隣接する部分がボス部４８Ａ〜４８Ｃ（の保持溝５０）によって保持されている。このため、回路端子６８の被結合部７２内に巻線端末部２８の結合部３０を挿入する際に、結合部３０が回路装置６０の移動方向側への倒れ込むことが抑制される。以上により、回路装置６０をモータ本体１２に組付ける際の組付性を向上できる。
【００４７】
また、巻線端末部２８が、ボス部４８Ａ〜４８Ｃの保持溝５０内に保持されている。これにより、簡易な構成で、巻線端末部２８の先端部を保持できる。
【００４８】
さらに、ボス部４８Ａ，４８Ｃは挿通孔４６Ａ，４６Ｃに隣接した位置に配置されている。また、挿通孔４６Ｂから延出される巻線端末部２８は、モータ本体１２の軸方向から見てホルダ４０の筒部４２を跨ぐようにして一直線状に配置（配線）されている。このため、ホルダ４０上において巻線端末部２８を配置するためのスペースを少なく設定できるため、ホルダ４０を効率のよい配置構造にできる。
【００４９】
また、ホルダ４０には、挿通孔４６Ａ〜４６Ｃ及びボス部４８Ａ〜４８Ｃが一体に形成されている。このため、例えば、ブラシレスモータ１０の仕様に対応して、挿通孔４６Ａ〜４６Ｃ及びボス部４８Ａ〜４８Ｃの位置を適宜変更することで、各種のブラシレスモータに対応できる。
【００５０】
なお、本実施の形態では、保持溝５０の底面は側断面視で直線状に形成されているが、保持溝５０の底面を側断面視で段差状に形成してもよい。具体的には、図１０に示されるように、保持溝５０の底面におけるパンチ凹部５２より回路装置６０側（矢印Ｅ方向側）の部分に、モータ本体１２の軸方向一方側へ凸となる段差部８０を形成してもよい。これにより、パンチ５４による巻線端末部２８の屈曲を促進して、巻線端末部２８の結合部３０をボス部４８Ａ〜４８Ｃからモータ本体１２の軸方向一方側へ良好に延出させることができる。また、仮に巻線端末部２８の結合部３０が回路装置６０側へ倒れ込もうとすると、結合部３０が段差部８０に当接されるため、結合部３０の回路装置６０側への倒れ込みを抑制できる。
【００５１】
また、本実施の形態では、ブラシレスモータ１０の巻線２６の結線方法はデルタ結線とされているが、ブラシレスモータ１０の仕様に応じてブラシレスモータ１０の巻線２６の結線方法をスター結線としてもよい。
【００５２】
さらに、本実施の形態では、ホルダ４０に挿通孔及びボス部が３箇所形成されているが、挿通孔及びボス部の個数はブラシレスモータ１０の仕様に応じて適宜変更してもよい。
【符号の説明】
【００５３】
１０・・・ブラシレスモータ、１２・・・モータ本体、２８・・・巻線端末部、３０・・・結合部、４０・・・ホルダ（保持部材）、４８Ａ，４８Ｂ，４８Ｃ・・・ボス部（保持部）、５０・・・保持溝（溝部）、６０・・・回路装置、６８・・・回路端子、７２・・・被結合部
【図１】
2014204477.tif 000003
【図２】
2014204477.tif 000004
【図３】
2014204477.tif 000005
【図４】
2014204477.tif 000006
【図５】
2014204477.tif 000007
【図６】
2014204477.tif 000008
【図７】
2014204477.tif 000009
【図８】
2014204477.tif 000010
【図９】
2014204477.tif 000011
【図１０】
2014204477.tif 000012